(57)【要約】【課題】外出先でも携帯端末で呼出信号を受信することが可能な集合住宅用インターホンシステムを提供する。【解決手段】集合住宅用インターホンシステム１は、汎用プロトコルに従って通信が行われる外部ネットワークＴ及びインターホン回線Ｌに接続可能なスイッチングハブ７０と、インターホン回線Ｌを介してスイッチングハブ７０に接続されるとともに各居室の部屋番号を入力することが可能なテンキーユニット１０と、テンキーユニット１０で入力された部屋番号に基づいて外部ネットワークＴと接続可能な携帯端末８０を呼び出すための呼出信号を生成可能なＣＧＩサーバ２０と、外部ネットワークＴ上に配置された電話交換機９０に向けて呼出信号を発信可能なネットワークカメラ３０と、を備える。呼出信号は、部屋番号に対応する携帯端末８０に向けて発信されるように、電話交換機９０へ送信される。【選択図】図１
2020053883.tif 000002
【特許請求の範囲】
【請求項１】
汎用プロトコルに従って通信が行われる外部ネットワーク及びインターホン回線に接続可能なハブと、
前記インターホン回線を介して前記ハブに接続されるとともに、各居室の部屋番号を入力することが可能な入力部と、
前記インターホン回線を介して前記ハブに接続されるとともに、前記入力部で入力された部屋番号に基づいて、前記外部ネットワークと接続可能な携帯端末を呼び出すための呼出信号を生成可能な生成部と、
前記インターホン回線を介して前記ハブに接続されるとともに、前記外部ネットワーク上に配置された電話交換機に向けて、前記呼出信号を発信可能な発信部と、
を備え、
前記呼出信号は、前記部屋番号に対応する前記携帯端末に向けて発信されるように、前記電話交換機へ送信される、
集合住宅用インターホンシステム。
【請求項２】
前記生成部は、集合住宅毎に割り当てられる棟管理番号と前記集合住宅の各居室の部屋番号とに基づいて生成された呼出番号の情報を含む前記呼出信号を生成する、
請求項１に記載の集合住宅用インターホンシステム。
【請求項３】
前記電話交換機には、前記携帯端末と前記呼出番号とを対応付けて記録可能な呼出テーブルが記憶されている、
請求項２に記載の集合住宅用インターホンシステム。
【請求項４】
前記呼出番号は、各居住者の携帯端末毎に異なる番号が付与され、
前記呼出テーブルには、居住者毎に、各居住者が保有する前記携帯端末と前記呼出番号とを対応付けて記録可能である、
請求項３に記載の集合住宅用インターホンシステム。
【請求項５】
各居室に設置されるとともに、前記インターホン回線を介して前記ハブに接続可能な玄関子機を備え、
前記携帯端末は、前記玄関子機から呼び出し可能である、
請求項１から請求項４のいずれか一項に記載の集合住宅用インターホンシステム。
【請求項６】
前記インターホン回線を介して前記ハブに接続されたＣＧＩサーバと、
前記インターホン回線を介して前記ハブに接続されるとともに、映像を撮像可能なネットワークカメラと、
を備え、
前記ＣＧＩサーバが前記生成部を有しており、
前記ネットワークカメラが、前記ＣＧＩサーバにより呼出先を書き換え可能な前記発信部を有している、
請求項１から請求項５のいずれか一項に記載の集合住宅用インターホンシステム。
【発明の詳細な説明】
【技術分野】
【０００１】
本発明は、集合住宅に用いられるインターホンシステムに関するものである。
【背景技術】
【０００２】
近年、スマートフォン等の携帯端末の普及が進むに伴い、集合住宅用のインターホンシステムにおいて、集合玄関機からの呼出を携帯端末で受けたいとのニーズが高まっている。
例えば、従来、住戸内に、居室親機と通信可能な無線ルータを設置し、住戸内に形成されたネットワーク内において、携帯端末で呼出信号を受信（着信）することが可能に構成されたインターホンシステムがある（特許文献１参照）。
【先行技術文献】
【特許文献】
【０００３】
【特許文献１】特開２０１６−１９２６７６号公報
【発明の概要】
【発明が解決しようとする課題】
【０００４】
特許文献１によれば、ユーザは、外出先（住戸外）では携帯端末で呼出信号を受信することができず、利便性に改善の余地があった。
【０００５】
そこで、本発明は、外出先でも携帯端末で呼出信号を受信することが可能な集合住宅用インターホンシステムを提供することを目的とする。
【課題を解決するための手段】
【０００６】
上記目的を達成するために、本発明の集合住宅用インターホンシステムは、
汎用プロトコルに従って通信が行われる外部ネットワーク及びインターホン回線に接続可能なハブと、
前記インターホン回線を介して前記ハブに接続されるとともに、各居室の部屋番号を入力することが可能な入力部と、
前記インターホン回線を介して前記ハブに接続されるとともに、前記入力部で入力された部屋番号に基づいて、前記外部ネットワークと接続可能な携帯端末を呼び出すための呼出信号を生成可能な生成部と、
前記インターホン回線を介して前記ハブに接続されるとともに、前記外部ネットワーク上に配置された電話交換機に向けて、前記呼出信号を発信可能な発信部と、
を備え、
前記呼出信号は、前記部屋番号に対応する前記携帯端末に向けて発信されるように、前記電話交換機へ送信される。
【０００７】
上記構成によれば、訪問者によって入力部に部屋番号が入力されると、生成部によって呼出信号が生成されて、その呼出信号が外部ネットワーク上の電話交換機に向けて発信される。その後、呼出信号が電話交換機を介して携帯端末に向けて発信される。このため、ユーザ（居住者）は、外出先でも携帯端末で呼出信号を受信することができる。
【０００８】
また、本発明の集合住宅用インターホンシステムにおいて、
前記生成部は、集合住宅毎に割り当てられる棟管理番号と前記集合住宅の各居室の部屋番号とに基づいて生成された呼出番号の情報を含む前記呼出信号を生成してもよい。
【０００９】
上記構成によれば、生成部において、同一の部屋番号であっても、集合住宅毎に異なる呼出信号が生成される。このため、訪問者は、集合住宅毎に割り当てられる棟管理番号を意識することなく、訪問先の居住者の携帯端末を呼び出すことができる。
【００１０】
また、本発明の集合住宅用インターホンシステムにおいて、
前記電話交換機には、前記携帯端末と前記呼出番号とを対応付けて記録可能な呼出テーブルが記憶されていてもよい。
【００１１】
上記構成によれば、例えば電話交換機の設置時に、部屋毎の呼出番号を記録した呼出テーブルを記憶しておき、その後、例えば入居時に、居住者が携帯端末から電話交換機にアクセスして、携帯番号を特定する情報を部屋番号と対応付けて記録することで、初期設定を簡易的に行うことができる。
【００１２】
また、本発明の集合住宅用インターホンシステムにおいて、
前記呼出番号は、各居住者の携帯端末毎に異なる番号が付与され、
前記呼出テーブルには、居住者毎に、各居住者が保有する前記携帯端末と前記呼出番号とを対応付けて記録可能であってもよい。
【００１３】
上記構成によれば、一つの居室に複数の居住者が存在する場合であっても、居住者毎に、各居住者が保有する携帯端末を呼び出すことができる。
【００１４】
また、本発明の集合住宅用インターホンシステムは、
各居室に設置されるとともに、前記インターホン回線を介して前記ハブに接続可能な玄関子機を備え、
前記携帯端末は、前記玄関子機から呼び出し可能であってもよい。
【００１５】
上記構成によれば、訪問者が玄関子機でユーザ（居住者）を呼び出す操作を行うと、その呼出信号が電話交換機を介して携帯端末に向けて発信される。このため、ユーザは、外出中においても、携帯端末で呼出信号を受信することができる。
【００１６】
また、本発明の集合住宅用インターホンシステムは、
前記インターホン回線を介して前記ハブに接続されたＣＧＩサーバと、
前記インターホン回線を介して前記ハブに接続されるとともに、映像を撮像可能なネットワークカメラと、
を備え、
前記ＣＧＩサーバが前記生成部を有しており、
前記ネットワークカメラが、前記ＣＧＩサーバにより呼出先を書き換え可能な前記発信部を有していてもよい。
【００１７】
上記構成によれば、ネットワークカメラとＣＧＩサーバを利用して、外出先でも携帯端末を呼び出すことが可能なインターホンシステムの構成を簡易的に実現することができる。
【発明の効果】
【００１８】
本発明によれば、外出先でも携帯端末で呼出信号を受信することが可能な集合住宅用インターホンシステムを提供することができる。
【図面の簡単な説明】
【００１９】
【図１】本発明の実施形態に係る集合住宅用インターホンシステムの構成図である。
【図２】集合住宅用インターホンシステムの機能ブロック図である。
【図３】電話交換機に記憶される呼出テーブルの一例を示す図である。
【図４】電話交換機に記憶される呼出テーブルの一例を示す図である。
【発明を実施するための形態】
【００２０】
以下、本発明に係る集合住宅用インターホンシステムの実施形態について図面を参照して説明する。
図１は、本実施形態の集合住宅用インターホンシステム１を示す構成図である。図１に示すように集合住宅用インターホンシステム１は、テンキーユニット１０（入力部の一例）と、ＣＧＩ（Ｃｏｍｍｏｎ  Ｇａｔｅｗａｙ  Ｉｎｔｅｒｆａｃｅ）サーバ２０と、ネットワークカメラ３０と、玄関子機４０と、管理室機５０と、接続機６０と、スイッチングハブ７０（ハブの一例）と、を備えている。集合住宅用インターホンシステム１は、例えばマンション等の集合住宅に適用されるインターホンシステムである。
【００２１】
テンキーユニット１０、ＣＧＩサーバ２０、ネットワークカメラ３０、玄関子機４０、管理室機５０、および接続機６０は、汎用プロトコルに従って通信が行われるインターホン回線Ｌを介してスイッチングハブ７０に接続されている。本例のインターホン回線Ｌは、ＬＡＮ（Ｌｏｃａｌ  Ａｒｅａ  Ｎｅｔｗｏｒｋ）ケーブルで構成されている。なお、インターホン回線Ｌは専用線で構成されるようにしてもよい。
【００２２】
テンキーユニット１０は、集合住宅における各居室の例えば部屋番号を入力するためのユニットである。テンキーユニット１０は、集合住宅の例えば集合玄関等に設置される。なお、入力部は、集合玄関機が備えるテンキーで構成するようにしてもよい。
【００２３】
玄関子機４０は、各居室の玄関に設置されている。玄関子機４０は、訪問者が居住者を呼び出すための呼出ボタン４１と、訪問者が居住者と通話するための通話部４２と、訪問者の映像を撮像可能なカメラ４３と、を備えている。
【００２４】
管理室機５０は、集合住宅の管理室に設置されている。管理室機５０は、ネットワークカメラ３０で撮像された映像等が表示される表示部５１と、特定の居室を呼び出す際に操作される操作部５２と、管理人が居住者と通話するための通話部５３と、を備えている。操作部５２は、例えば表示部５１の画面に配置されるタッチパネル上の操作ボタン等で構成されている。
【００２５】
ＣＧＩサーバ２０は、受信したデータに基づいて所定の信号を生成する生成機能を有している。ＣＧＩサーバ２０は、例えばテンキーユニット１０から受信したデータに基づいて、各居室の居住者が保有する携帯端末（例えばスマートフォン、タブレット等）８０を呼び出すための呼出信号を生成する。また、ＣＧＩサーバ２０は、ネットワークカメラ３０の動作を制御する制御機能を有している。
【００２６】
ネットワークカメラ３０は、ＣＧＩサーバ２０による制御に応じて所定の信号を発信する発信機能を有している。ネットワークカメラ３０は、ＣＧＩサーバ２０による制御に応じて、例えば携帯端末８０を呼び出す呼出信号を電話交換機（例えば、ＰＢＸ：Ｐｒｉｖａｔｅ  Ｂｒａｎｃｈ  ｅＸｃｈａｎｇｅ等）９０に向けて発信可能である。また、ネットワークカメラ３０は、集合住宅を訪れた訪問者の映像を撮像可能である。さらに、ネットワークカメラ３０は、ネットワークカメラ３０が備える通話部（マイク、スピーカ）３１を介して訪問者が居住者と通話できるように構成されている。ネットワークカメラ３０は、テンキーユニット１０と共に集合玄関等に設置されている。なお、訪問者が居住者と通話するための通話部は、テンキーユニット１０に設けられるようにしてもよい。
【００２７】
ネットワークカメラ３０は、スイッチングハブ７０、接続機６０、および外部ネットワークＴを介して電話交換機９０と通信可能に接続されている。外部ネットワークＴとしては、汎用プロトコルに従って通信が行われる例えばインターネットが用いられている。
【００２８】
スイッチングハブ７０は、例えばＰｏＥ（Ｐｏｗｅｒ  ｏｖｅｒ  Ｅｔｈｅｒｎｅｔ）対応機器へ通信と電源供給の両方を行うＰｏＥ給電スイッチングハブである。スイッチングハブ７０は、ネットワークカメラ３０に電源を供給可能である。
【００２９】
接続機６０は、ネットワークカメラ３０を外部ネットワークＴに接続させるためのものであり、例えばモデム、ルータ等で構成されている。
【００３０】
携帯端末８０は、外部ネットワークＴを介して電話交換機９０と通信可能である。
電話交換機９０は、外部ネットワークＴ上に配置されたクラウド型の電話交換機である。
【００３１】
図２は、集合住宅用インターホンシステム１の機能ブロック図である。
図２に示すように、ＣＧＩサーバ２０は、受信したデータに基づいて所定の信号を生成可能な生成部２１を備えている。
ネットワークカメラ３０は、訪問者が居住者と通話するための通話部３１と、訪問者の映像を撮像可能な撮像部３２と、ＣＧＩサーバによる制御に応じて所定の信号を発信可能な発信部３３と、撮像された映像及び呼出信号に含まれる呼出番号の情報等を記憶する記憶部３４と、を備えている。
電話交換機９０は、記憶部９１を備え、当該記憶部９１には呼出番号と携帯端末とを対応付けて記録可能な呼出テーブル９１ａが記憶されている。
【００３２】
ＣＧＩサーバ２０の生成部２１は、テンキーユニット１０で入力された居室の部屋番号に基づいて、電話交換機９０を介して携帯端末８０を呼び出すための呼出信号を生成する。呼出信号は、例えば、異なる地域に建てられた集合住宅毎に割り当てられる「棟管理番号」と、各集合住宅における各居室の「部屋番号」とに基づいて生成された呼出番号の情報を含む信号として構成されている。ＣＧＩサーバ２０は、生成された呼出信号をネットワークカメラ３０に送信する。
【００３３】
ネットワークカメラ３０の発信部３３は、ＣＧＩサーバ２０から送られてきた呼出信号を電話交換機９０に向けて発信可能である。
【００３４】
電話交換機９０は、ネットワークカメラ３０から送られてきた呼出信号を受信する。電話交換機９０は、受信した呼出信号に含まれる呼出番号の情報を取得し、呼出テーブル９１ａを参照して、取得した呼出番号に対応付けられているメールアドレス（ユーザーアカウントの一例）を特定する。電話交換機９０は、外部ネットワークＴを介して、このメールアドレスにより特定された携帯端末８０に向けて呼出信号を送信する。
【００３５】
図３は、電話交換機９０の記憶部９１に記憶されている呼出テーブル９１ａの一例を示す。図３に示すように、呼出テーブル９１ａには、携帯端末８０のユーザーアカウント９２と呼出番号９３とが対応付けて記録されている。
【００３６】
呼出番号９３は、集合住宅を特定するための棟管理番号「１００」「１０１」等と、集合住宅の各居室を特定するための部屋番号「１０１」「１０２」等とで構成されている。例えば、棟管理番号「１００」はＡ地域の集合住宅Ｘであることを特定する番号であり、棟管理番号「１０１」はＡ地域とは異なるＢ地域の集合住宅Ｙであることを特定する番号である。また、部屋番号「１０１」は集合住宅の１０１号室であることを特定する番号であり、部屋番号「１０２」は集合住宅の１０２号室であることを特定する番号である。
【００３７】
ユーザーアカウント９２は、ユーザ（居住者）のメールアドレスと、パスワードとを含む構成とされている。ユーザーアカウント９２の各情報は、ユーザが自己の携帯端末８０から登録する。例えば、呼出テーブル９１ａにおける最上段の記録欄９４に記録されている情報は、棟管理番号が「１００」の集合住宅Ｘにおける「１０１号室」の居住者が携帯端末からメールアドレス「ＸＸＸ＠ＺＺＺ．ｊｐ」、パスワード「１２３４５６７８」を登録していることを表す。
【００３８】
次に、集合住宅用インターホンシステム１の動作について図１〜図３を参照して説明する。
（初期設定）
先ず、集合住宅用インターホンシステム１を利用するにあたり、居住者は、訪問者からの呼び出しを居住者が保有する携帯端末８０で受信できるようにするために、携帯端末８０の登録を行う。ここでは、Ａ地域の集合住宅Ｘに入居する１０１号室の居住者が登録する場合を例として説明する。
【００３９】
居住者は、登録に必要な所定のアプリケーションを外部ネットワークＴを介して携帯端末８０にダウンロードし、このアプリケーションを用いて例えば入居契約時に与えられているパスワード（入居者を証明する情報の一例）を入力する。入力されたパスワードは、外部ネットワークＴを介して電話交換機９０に送信される。
【００４０】
電話交換機９０は、送信されてきたパスワードを確認して集合住宅Ｘの１０１号室の居住者であることを認証した後、居住者に対してその居住者が保有する携帯端末８０のメールアドレス及びパスワードを要求する。
【００４１】
居住者は、電話交換機９０からの要求に応じて、その居住者が保有する携帯端末８０の「メールアドレス」及び「パスワード」を入力して、集合住宅用インターホンシステム１を利用するためのユーザーアカウントを取得する。
【００４２】
電話交換機９０は、居住者の携帯端末８０から受信した「メールアドレス」及び「パスワード」を呼出番号９３（棟管理番号、部屋番号）と対応付けて呼出テーブル９１ａに記録する（図３参照）。呼出テーブル９１ａの記録欄９４に示すように、集合住宅Ｘを特定する棟管理番号「１００」と１０１号室を特定する部屋番号「１０１」に対応付けて、１０１号室の居住者が保有する携帯端末８０のメールアドレス「ＸＸＸ＠ＺＺＺ．ｊｐ」及びパスワード「１２３４５６７８」が記録されている。
【００４３】
これにより、居住者の携帯端末８０の登録が完了するとともに、電話交換機９０の初期設定が完了する。
【００４４】
（呼出動作）
続いて、訪問者が集合住宅Ｘの１０１号室の居住者を訪問した場合の呼出動作を説明する。
訪問者は、集合住宅Ｘの集合玄関に設置されているテンキーユニット１０を操作して、訪問先の部屋番号である「１０１」を入力する。
【００４５】
テンキーユニット１０が操作されると、入力された部屋番号「１０１」の情報を含む信号がインターホン回線Ｌおよびスイッチングハブ７０を介してＣＧＩサーバ２０に送信される。
ＣＧＩサーバ２０の生成部２１は、受信した部屋番号「１０１」の情報を含む信号に基づいて、１０１号室の居住者が保有する携帯端末８０を呼び出すための呼出信号を生成する。呼出信号は、集合住宅Ｘを特定するための棟管理番号「１００」と、１０１号室を特定するための部屋番号「１０１」とを組み合わせた呼出番号「１００１０１」の情報を含む信号として生成される。ＣＧＩサーバ２０は、生成された呼出信号を、スイッチングハブ７０を介してネットワークカメラ３０に送信する。
【００４６】
ネットワークカメラ３０は、呼出信号を受信すると、呼出信号に基づいて認識される呼出番号「１００１０１」を記憶部３４に記憶する。記憶部３４に記憶されている呼出番号は、ＣＧＩサーバ２０からネットワークカメラ３０に呼出信号が送信されてくるたびに書き換えられる。このように、呼出番号を書き換えることにより、呼出先を書き換える（更新する）ことができる。
【００４７】
ネットワークカメラ３０の発信部３３は、呼出番号「１００１０１」の情報を含む呼出信号を、スイッチングハブ７０、接続機６０、および外部ネットワークＴを介して電話交換機９０に発信する。
【００４８】
電話交換機９０は、呼出信号を受信すると、呼出テーブル９１ａを参照して、携帯端末８０のユーザーアカウント９２として登録されているメールアドレスの中から呼出信号に含まれる呼出番号「１００１０１」の情報に対応付けられているメールアドレス「ＸＸＸ＠ＺＺＺ．ｊｐ」（図３参照）を特定する。
電話交換機９０は、外部ネットワークＴを介して、このメールアドレス「ＸＸＸ＠ＺＺＺ．ｊｐ」で特定された携帯端末８０に向けて呼出信号を送信し、訪問者からの呼び出しを知らせる。
【００４９】
呼出信号を受信した携帯端末８０、すなわち１０１号室の居住者が保有する携帯端末８０では、訪問者が集合玄関から呼び出しを行っている旨を知らせる呼出音が出力される。
【００５０】
携帯端末８０の呼出音に対して居住者が応答の操作をすると、応答信号が電話交換機９０、外部ネットワークＴ、接続機６０、およびスイッチングハブ７０を介して携帯端末８０からネットワークカメラ３０に送信される。これにより、ネットワークカメラ３０の通話部３１と携帯端末８０の通話部を通じて訪問者と居住者との間で通話が可能になる。なお、この通話を行うときに、ネットワークカメラ３０で撮像した訪問者の映像（静止画像、動画）が携帯端末８０の表示画面８１に表示されてもよい。そして、居住者が携帯端末８０を介して集合玄関の解錠操作を行うことで集合玄関ドアが解錠される。
【００５１】
以上のような構成の集合住宅用インターホンシステム１によれば、訪問者によりテンキーユニット１０から訪問先の部屋番号が入力されると、ＣＧＩサーバ２０によって呼出信号が生成される。ＣＧＩサーバ２０によって生成された呼出信号は、ネットワークカメラ３０に送信され、ネットワークカメラ３０から外部ネットワークＴ上の電話交換機９０に向けて発信される。そして、呼出番号に対応付けて記録されている居住者のメールアドレスが呼出テーブル９１ａに基づいて特定され、このメールアドレスで特定された携帯端末８０に向けて電話交換機９０を介して呼出信号が送信される。このため、ユーザ（居住者）は、外出先であっても携帯端末８０で訪問者からの呼出信号を受信することができる。
【００５２】
また、ＣＧＩサーバ２０で生成される呼出信号は、集合住宅毎に割り当てられる棟管理番号「１００，１０１、・・・」と、集合住宅の各居室の部屋番号「１０１，１０２、・・・」とを組み合わせた呼出番号に基づいて生成される。このため、同一の部屋番号であっても集合住宅毎に異なる呼出信号が生成されるので、訪問者は、集合住宅毎に割り当てられる棟管理番号を意識することなく、訪問先の居住者の携帯端末８０を呼び出すことができる。また、テンキーユニット１０を介して訪問者から入力されてくる情報が部屋番号のみであっても訪問先の集合住宅の居住者を正確に呼び出すことができる。
【００５３】
また、生成部としてＣＧＩサーバ２０を利用し、発信部としてネットワークカメラ３０を利用することで、居住者が外出先でも訪問者の呼び出しを携帯端末８０で受信することが可能な集合住宅用インターホンシステムの構成を簡易的に実現することができる。
【００５４】
また、電話交換機９０には、携帯端末８０と呼出番号９３とを対応付けて記録可能な呼出テーブル９１ａが記憶されている。例えば電話交換機９０の設置時に、部屋毎の呼出番号を呼出テーブル９１ａに記録しておき、その後、例えば入居時に、居住者が携帯端末８０から電話交換機９０にアクセスして携帯端末を特定する情報（メールアドレス等のユーザーアカウント）を部屋番号と対応付けて呼出テーブル９１ａに記録することで、電話交換機９０の初期設定を簡易的に行うことができる。
【００５５】
（変形例１）
上記実施形態においては、集合住宅の居住者が一つの携帯端末８０を用いて訪問者からの呼び出しを受信する場合を説明したが、これに限定されない。例えば、集合住宅の一つの居室に複数の居住者がいて、一つの居室として複数の携帯端末８０が保有されている場合には以下のような構成になる。なお、本例では集合住宅Ｘ（棟管理番号「１００」）の１０１号室に３人の居住者（父、母、子）がいて、各居住者がそれぞれ携帯端末８０（８０ａ，８０ｂ，８０ｃ）を保有している場合について説明する。
【００５６】
図４は、電話交換機９０に記憶されている呼出テーブル１９１ａの一例を示す。図４に示すように、呼出テーブル１９１ａには、携帯端末８０のユーザーアカウント１９２（メールアドレス、パスワード）と呼出番号１９３とが対応付けて記録されている。呼出番号１９３は、例えば異なる地域に建てられた集合住宅毎に割り当てられる「棟管理番号」と、各集合住宅における各居室の「部屋番号」と、一つの居室の複数の居住者に付与される「居住者番号」と、で構成されている。
【００５７】
３人の居住者（父、母、子）が集合住宅用インターホンシステム１の利用を希望する場合、各居住者が保有する携帯端末８０ａ，８０ｂ，８０ｃに所定のアプリケーションをそれぞれダウンロードする。各居住者は、このアプリケーションを用いて「メールアドレス」及び「パスワード」を入力する。これにより、携帯端末８０ａ，８０ｂ，８０ｃのメールアドレス及びパスワードが呼出テーブル１９１ａのユーザーアカウント１９２に登録される。
【００５８】
電話交換機９０は、居住者から受信した「メールアドレス」及び「パスワード」を呼出番号１９３（棟管理番号、部屋番号、居住者番号）と対応付けて呼出テーブル１９１ａに記録する。居住者番号は、居住者毎に異なる番号が付与される。本例のように一つの居室において３つの携帯端末８０ａ，８０ｂ，８０ｃから登録要請がある場合、居住者番号は例えば「＃１」「＃２」「＃３」のように付与される。
【００５９】
これにより、呼出テーブル１９１ａの記録欄１９４に示すように、各居住者が保有する携帯端末８０ａ、８０ｂ、８０ｃと呼出番号１９３とが対応付けて記録される。具体的には、集合住宅Ｘを特定する棟管理番号「１００」と１０１号室を特定する部屋番号「１０１」と第一の居住者を特定する居住者番号「＃１」とに対応付けて、例えば父が保有する携帯端末８０ａのメールアドレス「ＸＸＸ＠ＺＺＺ．ｊｐ」及びパスワード「１２３４５６７８」が記録される。また、呼出テーブル１９１ａの記録欄１９５に示すように、棟管理番号「１００」と部屋番号「１０１」と第二の居住者を特定する居住者番号「＃２」とに対応付けて、例えば母が保有する携帯端末８０ｂのメールアドレス「ｆｆｆ＠ＺＺＺ．ｊｐ」及びパスワード「６５６５６８２」が記録される。また、呼出テーブル１９１ａの記録欄１９６に示すように、棟管理番号「１００」と部屋番号「１０１」と第三の居住者を特定する居住者番号「＃３」とに対応付けて、例えば子が保有する携帯端末８０ｃのメールアドレス「ｄｄｄ＠ＺＺＺ．ｊｐ」及びパスワード「１２３１２３２２」が記録される。
【００６０】
例えば１０１号室の母のところに訪れた訪問者は、集合住宅Ｘの集合玄関に設置されているテンキーユニット１０を操作して、訪問先の部屋番号である「１０１」と、母の居住者番号である「＃２」と組み合わせた番号「１０１＃２」を入力する。なお、番号「１０１＃２」は、１０１号室の居住者（母）から訪問者に予め知らせても良く、部屋番号「１０１」をテンキーユニット１０で入力した時に「○○の呼出をご希望の場合は＃２を続けて入力してください」等の音声ガイダンス等で知らせても良い。
【００６１】
ＣＧＩサーバ２０の生成部２１は、番号「１０１＃２」に基づいて、１０１号室の居住者である母が保有する携帯端末８０ｂを呼び出すための呼出信号を生成する。呼出信号は、棟管理番号「１００」と、部屋番号「１０１」と、居住者番号「＃２」とを組み合わせた呼出番号「１００１０１＃２」の情報を含む信号として生成される。
【００６２】
呼出信号を受信したネットワークカメラ３０の記憶部３４に記憶されている呼出番号は、ＣＧＩサーバ２０により、ＣＧＩサーバ２０から送信されてきた呼出信号に基づいて認識される呼出番号「１００１０１＃２」に書き換えられる。ネットワークカメラ３０の発信部３３は、呼出番号「１００１０１＃２」の情報を含む呼出信号を電話交換機９０に発信する。
【００６３】
電話交換機９０は、呼出テーブル１９１ａを参照して、受信した呼出信号に基づいて認識される呼出番号「１００１０１＃２」に対応付けられているメールアドレス「ｆｆｆ＠ＺＺＺ．ｊｐ」（図４参照）を特定する。電話交換機９０は、このメールアドレス「ｆｆｆ＠ＺＺＺ．ｊｐ」で特定された携帯端末８０ｂに向けて呼出信号を発信し、訪問者からの呼び出しを知らせる。これら以外の動作は上記実施形態と同様である。
【００６４】
このような構成の集合住宅用インターホンシステム１によれば、一つの居室に複数の居住者（例えば父、母、子）が存在する場合であっても、訪問者は居住者毎に、各居住者が保有する携帯端末８０（８０ａ，８０ｂ，８０ｃ）を呼び出すことができる。各居住者は、外出先であっても各居住者が保有する携帯端末８０（８０ａ，８０ｂ，８０ｃ）で訪問者からの呼出信号を受信することができる。
【００６５】
（変形例２）
上記実施形態においては、集合玄関等に設置されたテンキーユニット１０からの部屋番号の入力操作に基づいて居住者の携帯端末８０を呼び出す場合を説明したが、これに限定されない。例えば、各居室に設置されている玄関子機４０から居住者の携帯端末８０を呼び出すことができるようにしてもよい。以下、玄関子機４０の操作に基づく携帯端末８０の呼び出しについて、図１〜図３を参照して説明する。なお、本例では訪問者が集合住宅Ｘ（棟管理番号「１００」）の１０１号室を訪問し、１０１号室の玄関子機４０を操作する場合を説明する。
【００６６】
訪問者によって１０１号室の玄関子機４０の呼出ボタン４１が押されると、呼出ボタン４１が押された部屋番号「１０１」の情報を含む信号が、インターホン回線Ｌおよびスイッチングハブ７０を介して１０１号室の玄関子機４０からＣＧＩサーバ２０に送信される。
【００６７】
ＣＧＩサーバ２０の生成部２１は、受信した部屋番号「１０１」の情報を含む信号に基づいて、１０１号室の居住者が保有する携帯端末８０を呼び出すための呼出信号を生成する。呼出信号は、棟管理番号「１００」と、部屋番号「１０１」とを組み合わせた呼出番号「１００１０１」の情報を含む信号として生成される。これら以外の動作は上記実施形態と同様である。
【００６８】
なお、呼出音が出力される携帯端末８０側において、集合玄関にいる訪問者からの呼び出しであるのか、居室の玄関にいる訪問者からの呼び出しであるのかを判別できるようにしてもよい。例えば、呼出番号「１００１０１」にどちらからの呼び出しであるかを区別可能な情報を組み合わせた呼出信号をＣＧＩサーバ２０が生成し、この呼出信号に基づいて携帯端末８０の表示画面８１に呼出元（集合玄関、居室玄関）が表示されるようにしてもよい。
【００６９】
この他に、例えば居室に付けられた所定の名称（例えばテナント名等）を特定するための専用ボタンをテンキーユニット１０に設け、この専用ボタンを押すことで当該テナントの代表者等の携帯端末８０を呼び出すことができるようにしてもよい。専用ボタンが押された場合も上記実施形態と同様に、当該テナント名が付されている居室の部屋番号の情報を含む信号がＣＧＩサーバ２０に送信され、送信された部屋番号の情報を含む信号に基づいてテナントの代表者等が保有する携帯端末８０を呼び出すための呼出信号が生成部２１によって生成される。
【００７０】
このような構成の集合住宅用インターホンシステム１によれば、訪問者が玄関子機４０で呼出ボタン４１を押すと、その居室の部屋番号の情報を含む呼出信号が電話交換機９０を介して携帯端末８０に向けて発信される。このため、居住者は、外出中においても、携帯端末８０で訪問者からの呼出信号を受信することができる。
【００７１】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００７２】
上記した例ではメールアドレスにより携帯端末を特定したが、この例に限らない。例えば、携帯端末の電話番号、携帯端末のメールアドレス登録時のパスワード、その他の携帯端末を特定する情報等により、呼出信号を受信する携帯端末を特定することができる。この「携帯端末を特定する情報（携帯端末の電話番号、携帯端末のメールアドレス登録時のパスワード、その他の携帯端末を特定する情報等）」は、電話交換機の呼出テーブルに、呼出番号と対応付けられて記録される。
【符号の説明】
【００７３】
１：集合住宅用インターホンシステム、１０：テンキーユニット、２０：ＣＧＩサーバ、２１：生成部、３０：ネットワークカメラ、３１：通話部、３２：撮像部、３３：発信部、３４：記憶部、４０：玄関子機、４１：呼出ボタン、４２：通話部、５０：管理室機、６０：接続機、７０：スイッチングハブ（ハブの一例）、８０：携帯端末、９０：電話交換機、９１：記憶部、９１ａ，１９１ａ：呼出テーブル、９２，１９２：ユーザーアカウント、９３，１９３：呼出番号、Ｌ：インターホン回線、Ｔ：外部ネットワーク
【図１】
2020053883.tif 000003
【図２】
2020053883.tif 000004
【図３】
2020053883.tif 000005
【図４】
2020053883.tif 000006